(57)【要約】【課題】簡易な構成で効果的な刺激を与えることができる健康増進具を提供する。【解決手段】  健康増進具１は、使用者の胸部に当接する胸当て部１１と、前記使用者の背部に当接する背当て部１２と、前記使用者の右肩部及び左肩部のそれぞれに掛けられ、両端部が、胸当て部１１及び背当て部１２のそれぞれに接続可能に構成されている一対の肩帯部２１，２２とを備え、胸当て部１１及び背当て部１２がその自重により下方に引っ張られることによって、胸当て部１１により前記胸部に、背当て部１２により前記背部に、肩帯部２１，２２により前記肩部にそれぞれ刺激が与えられるように構成されている。【選択図】図１
2019005287.tif 000002
【特許請求の範囲】
【請求項１】
使用者の胸部に当接する胸当て部と、
前記使用者の背部に当接する背当て部と、
前記使用者の右肩部及び左肩部のそれぞれに掛けられ、両端部が、前記胸当て部及び前記背当て部のそれぞれに接続可能に構成されている一対の肩帯部とを備え、
前記胸当て部及び前記背当て部がその自重により下方に引っ張られることによって、前記胸当て部により前記胸部に、前記背当て部により前記背部に、前記肩帯部により前記肩部にそれぞれ刺激が与えられるように構成されている、
健康増進具。
【請求項２】
前記胸当て部と前記背当て部とはその重量が異なる、
請求項１に記載の健康増進具。
【請求項３】
前記肩帯部には、当該肩帯部の長手方向に沿って伸びるように配置された補助帯部が取り付けられている、
請求項１又は２に記載の健康増進具。
【請求項４】
前記肩帯部には、当該肩帯部の長手方向と交差する方向に沿って伸びるように配置された補助帯部が取り付けられている、
請求項１乃至３の何れかに記載の健康増進具。
【請求項５】
前記肩帯部に、複数の前記補助帯部が取り付けられている、
請求項３又は４に記載の健康増進具。
【請求項６】
前記補助帯部は、複数の帯状部材が網組されて構成されている、
請求項３乃至５の何れかに記載の健康増進具。
【請求項７】
前記肩帯部の両端は、前記胸当て部及び前記背当て部に着脱自在に構成されている、
請求項１乃至６の何れかに記載の健康増進具。
【発明の詳細な説明】
【技術分野】
【０００１】
本発明は、使用者の健康を増進するための健康増進具に関し、特に使用者の肩部等に対して刺激を与えることにより健康を増進する健康増進具に関する。
【背景技術】
【０００２】
人体の特定の部位に対して刺激を与えることによってマッサージ効果を得るマッサージ機等の各種の健康増進具が従来提案されている。例えば、特許文献１には、伸縮性を有し、装着者の手の皮膚に密着可能なように構成された手収納部と、拳を握った状態の前記装着者の手が前記手収納部に収納された場合に、当該手収納部のうち当該装着者の少なくとも親指以外の手指の中手指節間関節の皮膚に密着している部分に当接して押圧する当接部とを備える健康増進具が開示されている。この健康増進具の場合、装着者又はその他の者が手収納部を引っ張ることによって当接部に当接されている部位に刺激が与えられ、マッサージ効果が得られる。
【先行技術文献】
【特許文献】
【０００３】
【特許文献１】特開２０１５−３３４２０号公報
【発明の概要】
【発明が解決しようとする課題】
【０００４】
上述した従来の健康増進具の場合、手収納部を引っ張るという動作が必要になるため、必ずしも容易に利用できるとはいえない。
【０００５】
本発明は、かかる事情に鑑みてなされたものであり、容易に利用可能な健康増進具を提供することを目的とする。
【課題を解決するための手段】
【０００６】
上述した課題を解決するために、本発明の一の態様の健康増進具は、使用者の胸部に当接する胸当て部と、前記使用者の背部に当接する背当て部と、前記使用者の右肩部及び左肩部のそれぞれに掛けられ、両端部が、前記胸当て部及び前記背当て部のそれぞれに接続可能に構成されている一対の肩帯部とを備え、前記胸当て部及び前記背当て部がその自重により下方に引っ張られることによって、前記胸当て部により前記胸部に、前記背当て部により前記背部に、前記肩帯部により前記肩部にそれぞれ刺激が与えられるように構成されている。
【０００７】
上記態様において、前記胸当て部と前記背当て部とはその重量が異なっていてもよい。
【０００８】
また、上記態様において、前記肩帯部には、当該肩帯部の長手方向に沿って伸びるように配置された補助帯部が取り付けられていてもよい。
【０００９】
また、上記態様において、前記肩帯部には、当該肩帯部の長手方向と交差する方向に沿って伸びるように配置された補助帯部が取り付けられていてもよい。
【００１０】
また、上記態様において、前記肩帯部に、複数の前記補助帯部が取り付けられていてもよい。
【００１１】
また、上記態様において、前記補助帯部は、複数の帯状部材が網組されて構成されていてもよい。
【００１２】
さらに、上記態様において、前記肩帯部の両端は、前記胸当て部及び前記背当て部に着脱自在に構成されていてもよい。
【発明の効果】
【００１３】
本発明によれば、従来に比して簡易な構成で使用者に対して効果的な刺激を与えることができる。
【図面の簡単な説明】
【００１４】
【図１】実施の形態１の健康増進具の構成を示す平面図。
【図２】図１に示すII−II線における断面図。
【図３】実施の形態１の健康増進具が備える右肩帯部の構成を示す底面図。
【図４Ａ】実施の形態１の健康増進具を使用者が装着したときの状態を模式的に示す正面図。
【図４Ｂ】実施の形態１の健康増進具を使用者が装着したときの状態を模式的に示す背面図。
【図５】実施の形態２の健康増進具の構成を示す平面図。
【図６】図５に示すVI−VI線における拡大断面図。
【図７】実施の形態２の健康増進具が備える肩帯部の変形例の構成を示す平面図。
【図８】肩帯部が有する補助帯部の変形例の構成を示す平面図。
【発明を実施するための形態】
【００１５】
以下、本発明の好ましい実施の形態を、図面を参照しながら説明する。なお、以下に示す各実施の形態は、本発明の技術的思想を具体化するための方法及び装置を例示するものであって、本発明の技術的思想は下記のものに限定されるわけではない。本発明の技術的思想は、特許請求の範囲に記載された技術的範囲内において種々の変更を加えることができる。
【００１６】
（実施の形態１）
［健康増進具の構成］
図１は、実施の形態１の健康増進具の構成を示す平面図であり、図２は、図１に示すII−II線における断面図である。なお、以下では、説明の便宜上、図１における上側を「前側」、下側を「後側」、右側を「右側」、左側を「左側」とそれぞれ規定する。
【００１７】
図１に示すとおり、健康増進具１は、使用者の胸部に当接する胸当て部１１と、同じく背部に当接する背当て部と１２とを備えている。また、健康増進具１は、使用者の右肩部及び左肩部のそれぞれに掛けられ、胸当て部１１と背当て部１２とに接続される右肩帯部２１及び左肩帯部２２を備えている。以下、これらの各構成要素の詳細について説明する。
【００１８】
胸当て部１１及び背当て部１２は、略矩形状をなしており、伸縮性を有する積層構造で構成されている。以下、背当て部１２を構成する積層構造について説明するが、胸当て部１１を構成する積層構造も同一である。図２に示すとおり、背当て部１２を構成する積層構造は、第１層部１２１と、第１層部１２１上に積層された第２層部１２２とを有している。第２層部１２２の下面に接着剤が塗布された後、その下面と第１層部１２１の上面とを貼り合わせて接着剤を固化させることによって、背当て部１２が得られる。なお、このように接着剤を用いるのではなく、例えば第１層部１２１と第２層部１２２とが縫い付けられることによって積層構造を得るようにしてもよい。
【００１９】
第１層部１２１は、発泡ゴム（スポンジゴム）で構成されている。本実施の形態では、この発泡ゴムとして、クロロプレンゴムが用いられる。但し、それ以外の発泡ゴム、例えば、イソプレンゴム、ブチルゴム、スチレン・ブタジエンゴム、ブタジエンゴム、ニトリルゴム、エチレン・プロピレンゴム、又はクロロスルホン化ポリエチレンゴム等を採用するようにしてもよい。例えば、山本化学工業株式会社製のバイオラバー（登録商標）等を用いて第１層部１２１を実現することができる。
【００２０】
第２層部１２２は、合成繊維等の化学繊維で織られた、伸縮性を有する織物で構成されている。ここで、合成繊維としては、ポリエステル、アクリル、ナイロン、ポリウレタン等を用いることができる。なお、化学繊維ではなく、綿、絹等の天然繊維で織られた織物を採用することも可能である。勿論、化学繊維と天然繊維との混合繊維で織られた織物を採用することも可能である。
【００２１】
第２層部１２２の上面の全面は、ループ状の繊維が植え込まれた面ファスナーのループ面となっている。後述するように、右肩帯部２１及び左肩帯部２２の両端の裏面には面ファスナーのフック面が形成されており、これらのフック面及びループ面が係合することにより、胸当て部１１及び背当て部１２に右肩帯部２１及び左肩帯部２２が接続可能となっている。
【００２２】
胸当て部１１の長さは２５０ｍｍ程度、その幅は１００ｍｍ程度、その厚みは５ｍｍ程度である。他方、背当て部１２の長さは２５０ｍｍ程度、その幅は１５０ｍｍ程度、その厚みは５ｍｍ程度であり、胸当て部１１と比べると幅の長さが大きくなっている。胸当て部１１及び背当て部１２は同じ材質で構成されているため、幅が長くなっている分、背当て部１２の方が胸当て部１１よりも重量が大きくなっている。なお、これらの値は例示にすぎず、長さ、幅及び厚みの何れについても他の値とすることができる。
【００２３】
次に、右肩帯部２１及び左肩帯部２２の構成について説明する。
図１に示すように、右肩帯部２１及び左肩帯部２２は、細長の略矩形状をなしており、伸縮性を有する積層構造で構成されている。これらの右肩帯部２１及び左肩帯部２２は同一の構成であるため、以下では右肩帯部２１のみについてその構成を説明する。
【００２４】
右肩帯部２１は、上記の第１層部１２１と同様の発泡ゴム層と、その発泡ゴム層を挟む、第２層部１２２と同様の一対の織物とで構成されている。これらの発泡ゴム層と織物とは、背当て部１２の場合と同様に接着剤を用いて貼着されている。
【００２５】
図３は、右肩帯部２１の構成を示す底面図である。図３に示すように、右肩帯部２１の両端部の裏面には、フックが植え込まれた面ファスナーのフック面２１１が縫い付けられている。上述したように、このフック面２１１と第２層部１２２上面のループ面とが係合することにより、右肩帯部２１及び左肩帯部２２が胸当て部１１及び背当て部１２に接続される。
【００２６】
右肩帯部２１の長さは３５０ｍｍ程度、その幅は８０ｍｍ程度、その厚みは２ｍｍ程度である。但し、これらの値は例示にすぎず、長さ、幅及び厚みの何れについても他の値とすることができる。
【００２７】
［健康増進具の使用方法］
以下、上述したように構成された本実施の形態の健康増進具１の使用方法について説明する。なお、以下において、使用者の上半身は、着衣している状態であってもよく、着衣していない状態であっても構わない。すなわち、胸当て部１１、背当て部１２、右肩帯部２１及び左肩帯部２２が使用者の皮膚に直接接していてもよく、衣服を介して間接的に接していてもよい。但し、後述のとおり、胸当て部１１、背当て部１２、右肩帯部２１及び左肩帯部２２が使用者の皮膚に直接接している方が、マッサージ効果は高くなる。
【００２８】
使用者はまず、右肩帯部２１及び左肩帯部２２の両端部のうちの一端部の裏面側に設けられているフック面と、背当て部１２の上面のループ面とを係合させることにより、右肩帯部２１及び左肩帯部２２の一端部を背当て部１２に接続する。その際、右肩帯部２１及び左肩帯部２２は平行に並べられ、その間の距離は使用者の首の太さ及び肩幅等に応じて調整される。なお、背当て部１２の上面は全面にわたってループ面が設けられているため、使用者は、当該上面における任意の位置に右肩帯部２１及び左肩帯部２２を係合させることができる。
【００２９】
次に、使用者は、背当て部１２の裏面を自身の背部に当接させながら、右肩帯部２１及び左肩帯部２２を自身の右肩及び左肩にそれぞれ掛ける。このとき、右肩帯部２１及び左肩帯部２２の他端部が使用者の胸部に位置することになる。
【００３０】
次に、使用者は、胸当て部１１の裏面を自身の胸部に当接させながら、右肩帯部２１及び左肩帯部２２の他端部の裏面側に設けられているフック面と、胸当て部１１の上面のループ面とを係合させることにより、右肩帯部２１及び左肩帯部２２の他端部を胸当て部１１に接続する。なお、胸当て部１１の上面は全面にわたってループ面が設けられているため、使用者は、当該上面の任意の位置に右肩帯部２１及び左肩帯部２２を係合させることができる。
【００３１】
以上により、健康増進具１の装着が完了する。図４Ａ及び図４Ｂはそれぞれ、健康増進具１を使用者が装着したときの状態を模式的に示す正面図及び背面図である。図４Ａ及び図４Ｂに示すように、胸当て部１１及び背当て部１２それぞれの裏面が使用者の胸部及び背部に当接された上で、右肩帯部２１及び左肩帯部２２が使用者の右肩及び左肩にそれぞれ架け渡された状態となる。この場合、胸当て部１１及び背当て部１２は、その自重により下方に引っ張られる。その結果、胸当て部１１、背当て部１２、右肩帯部２１及び左肩帯部２２により、使用者の胸部、背部、右肩及び左肩のそれぞれに刺激が与えられることになる。この刺激は、健康増進具１が使用者に装着されている間継続して使用者の皮膚に与えられることになる。
【００３２】
皮膚には、僅かではあるものの、抵抗・緊張が生じている場合がある。これは、そのときの体の状況が反映されているものと考えられる。このような皮膚の抵抗・緊張を適切に捉えて、それに応じた力・時間・方向で刺激を与えることにより、新陳代謝を高めたり、内臓機能に変化をもたらせたりすることができることが知られている。従来、このような皮膚への刺激は手技療法により行われているため、豊富な知識及び経験を有する専門家を要していた。健康増進具１の場合、これを装着するのみでこのような効果を発生させることができ、使用者の健康の増進に寄与することができる。
【００３３】
なお、着衣した状態であっても、皮膚に対して刺激を与えることは可能であるため、一定のマッサージ効果は期待できる。但し、胸当て部１１、背当て部１２、右肩帯部２１及び左肩帯部２２が使用者の皮膚に直接接している方が、より強い刺激を与えることができるため、高いマッサージ効果が得られる。
【００３４】
本実施の形態の場合、右肩帯部２１及び左肩帯部２２は伸縮性を有しており、胸当て部１１及び背当て部１２の重さにより下方に引っ張られた場合、胸当て部１１及び背当て部１２に近い部位はより伸長し、同じく遠い部位（装着時においては使用者の肩の上部に接している部位）はほとんど伸長しない。このように伸長の度合いが異なることにより、多様な刺激を使用者に与えることが可能になる。
【００３５】
また、本実施の形態の場合、上述したように背当て部１２は、胸当て部１１と比べて重量が大きくなっている。そのため、背部に対する刺激の方が、胸部に対する刺激よりも若干大きくなる。このように、胸部及び背部に対して非対称の刺激を与えることにすると、対象の刺激を与える場合と比べて多様な刺激を得ることができ、マッサージ効果を高めることができる。
【００３６】
また、本実施の形態の場合、右肩帯部２１及び左肩帯部２２は、胸当て部１１及び背当て部１２に対して面ファスナーにより接続されているため、容易に着脱することができる。これにより、使用者は、健康増進具１を装着した後、胸部及び背部における胸当て部１１及び背当て部１２の相対的な位置を自在に調整することができるため、刺激を与える箇所を容易に変更することができる。
【００３７】
（実施の形態２）
本実施の形態では、右肩帯部２１及び左肩帯部２２の構成が実施の形態１の場合と異なっている。以下、その構成について説明する。
［健康増進具の構成］
図５は、実施の形態２の健康増進具の構成を示す平面図である。本実施の形態の健康増進具２では、右肩帯部２１に第１補助帯部２１２及び第２補助帯部２１３が、左肩帯部２２に第１補助帯部２２２及び第２補助帯部２２３がそれぞれ設けられている。それ以外の構成については実施の形態１の場合と同様であるため、同一符号を付して説明を省略する。また、実施の形態１の場合と同様に、右肩帯部２１及び左肩帯部２２は同一の構成であるため、以下では右肩帯部２１のみについてその構成を説明する。
【００３８】
図６は、図５に示すVI−VI線における拡大断面図である。なお、図６では、胸当て部１１及び背当て部１２の構成は省略されている。以下、この図６と図５とを参照しながら説明を続ける。
右肩帯部２１の上面には、右肩帯部２１と比べて長さ及び幅がともに小さい第１補助帯部２１２が設けられている。この第１補助帯部２１２は、その全体が右肩帯部２１内に収まるように、且つその長手方向が右肩帯部２１の長手方向と一致するように配設されている。なお、第１補助帯部２１２は、その周縁部の全周が右肩帯部２１に縫い付けられることによって取り付けられている。
【００３９】
第１補助帯部２１２の両端の上面には、第２補助帯部２１３，２１３がそれぞれ設けられている。これらの第２補助帯部２１３，２１３は、右肩帯部２１の幅方向に沿って伸びるように配設されており、その長さは、第１補助帯部２１２の幅よりも若干大きくなっている。第２補助帯部２１３，２１３は、その周縁部の全周が第１補助帯部２１２及び右肩帯部２１に縫い付けられることによって取り付けられている。
【００４０】
上述した第１補助帯部２１２及び第２補助帯部２１３は、右肩帯部２１と同様に、発泡ゴム層とそれを挟む一対の織物とで構成された伸縮性を有する積層構造となっている。
【００４１】
［健康増進具の使用方法］
本実施の形態においても、実施の形態１の場合と同様にして健康増進具２が使用者に装着される。その結果、実施の形態１の場合と同様に、胸当て部１１及び背当て部１２がその重さにより下方に引っ張られ、胸当て部１１、背当て部１２、右肩帯部２１及び左肩帯部２２によって使用者の各部位に刺激が与えられる。このとき、右肩帯部２１において、第１補助帯部２１２が重ねられている領域、さらに第２補助帯部２１３が重ねられている領域、及びこれら第１補助帯部２１２及び第２補助帯部２１３が重ねられていない領域では、伸縮の度合が異なることになる。これにより、多様な刺激を使用者に与えることが可能になる。
【００４２】
なお、本実施の形態では、上述したように第１補助帯部２１２の周縁部の全周が右肩帯部２１に縫い付けられているが、これに限定されるわけではなく、例えば両端部における周縁部のみ等、一部のみが右肩帯部２１に縫い付けられていてもよい。また、縫い付けられるのではなく、接着剤等を用いて第１補助帯部２１２が右肩帯部２１に取り付けられていてもよい。さらに、第１補助帯部２１２は、右肩帯部２１の上面ではなく下面に設けられていてもよい。これらの点は、第２補助帯部２１３についても同様である。
【００４３】
また、本実施の形態では、第２補助帯部２１３が右肩帯部２１の幅方向に沿って伸びるように配設されているが、これに限定されるわけではなく、右肩帯部２１の長手方向と交差する方向に沿って伸びるように配設されていればよい。
【００４４】
また、本実施の形態では、第１補助帯部２１２及び第２補助帯部２１３の２つの補助帯部が右肩帯部２１に設けられているが、何れか一方のみの補助帯部が設けられる構成であっても構わない。
【００４５】
また、本実施の形態では、第１補助帯部２１２及び第２補助帯部２１３がそれぞれ１つの帯状部材で構成されているが、複数の帯状部材で構成されていてもよい。図７は、そのように複数の帯状部材で構成された第１補助帯部２１２を有する右肩帯部２１の構成を示す平面図である。図７に示すように、この右肩帯部２１には、３本の帯状部材２１２ａ，２１２ｂ，２１２ｃで構成された第１補助帯部２１２が設けられている。これらのうち、帯状部材２１２ｃは最下層に設けられ、右肩帯部２１の長手方向に沿って伸びるように配置されている。また、帯状部材２１２ｂは、帯状部材２１２ｃの上に設けられ、右肩帯部２１の長手方向と所定角度傾斜して交差する方向に沿って伸びるように配置されている。さらに、帯状部材２１２ａは、帯状部材２１２ｂ，２１２ｃの上に設けられ、帯状部材２１２ｂの場合とは反対側に同一角度傾斜して右肩帯部２１の長手方向と交差する方向に沿って伸びるように配置されている。なお、これらの帯状部材２１２ａ，２１２ｂ，２１２ｃは、それぞれの中心部が平面視で重なるように配置されている。また、帯状部材２１２ａ，２１２ｂ，２１２ｃはそれぞれ、その周縁部の全周が右肩帯部２１に縫い付けられている。但し、上述したように、その両端部における周縁部のみが縫い付けられる等、他の態様で右肩帯部２１に取り付けられていてもよい。
【００４６】
上記のように３本の帯状部材２１２ａ，２１２ｂ，２１２ｃで第１補助帯部２１２が構成されていると、１つの帯状部材で第１補助帯部２１２が構成されている場合と比べて、より多様な刺激を与えることが可能になる。
【００４７】
また、図８に示すように、これらの帯状部材２１２ａ，２１２ｂ，２１２ｃのそれぞれが、複数の帯状部材が網組されて構成された帯状部材であってもよい。これにより、さらに多様な刺激を与えることが可能になる。
【００４８】
なお、上記の第１補助帯部２１２と同様に、第２補助帯部２１３が複数の帯状部材で構成されていてもよい。また、右肩帯部２１についても同様にして複数の帯状部材で構成されていてもよい。さらに、胸当て部１１及び背当て部１２についても同様に、複数の帯状部材で構成されていても構わない。
【００４９】
（その他の実施の形態）
上記の各実施の形態では、背当て部１２が胸当て部１１よりも重量が大きくなっているが、これに限定されない。胸当て部１１及び背当て部１２が同じ重量であってもよく、胸当て部１１の方の重量が大きくてもよい。但し、多様な刺激を与えることを目的とした場合、両者の重量が異なることが好ましい。
【００５０】
また、上記の実施の形態１では、健康増進具１を装着する際に、右肩帯部２１及び左肩帯部２２を背当て部１２に取り付け、その後に胸当て部１１に取り付けているが、先に胸当て部１１に取り付けてから背当て部１２に取り付けてもよい。また、右肩帯部２１及び左肩帯部２２を胸当て部１１及び背当て部１２の両方に取り付けた後に、これら各部により形成された開口部に使用者の頭部を挿入することによって健康増進具１を装着するようにしてもよい。
【００５１】
また、上記の各実施の形態では、胸当て部１１及び背当て部１２と右肩帯部２１及び左肩帯部２２とを面ファスナーにより接続しているが、ボタン又はフック等の他の手段により接続するようにしてもよい。
【００５２】
上述した各実施の形態を組み合わせて別の形態を実現することも可能である。例えば、実施の形態１における右肩帯部２１及び左肩帯部２２の少なくとも何れか一方が複数の帯状部材が網組されて構成された帯部になっている等の態様を実現することもできる。
【産業上の利用可能性】
【００５３】
本発明の健康増進具は、装着者の上半身に対して刺激を与える健康増進具などとして有用である。
【符号の説明】
【００５４】
１，２  健康増進具
１１  胸当て部
１２  背当て部
１２１  第１層部
１２２  第２層部
２１  右肩帯部
２１１  フック面
２１２  第１補助帯部
２１２ａ，２１２ｂ，２１２ｃ  帯状部材
２１３  第２補助帯部
２２  左肩帯部
２２２  第１補助帯部
２２３  第２補助帯部
【図１】
2019005287.tif 000003
【図２】
2019005287.tif 000004
【図３】
2019005287.tif 000005
【図４Ａ】
2019005287.tif 000006
【図４Ｂ】
2019005287.tif 000007
【図５】
2019005287.tif 000008
【図６】
2019005287.tif 000009
【図７】
2019005287.tif 000010
【図８】
2019005287.tif 000011